(57)【特許請求の範囲】
【請求項１】
複数のＬＥＤと、前記各ＬＥＤへの供給電流を制御する制御部と、を備えたＬＥＤ照明装置において、
前記ＬＥＤの合成光の色温度、明るさ、及び演色評価数を設定するための設定部を備え、
前記複数のＬＥＤは、発光スペクトルのピーク波長が互いに異なる４種のＬＥＤから成り、
前記制御部は、前記４種の各ＬＥＤの分光データを記憶しており、
前記４種のＬＥＤのうち、１種のＬＥＤへの供給電流値を所定の下限値から上限値まで段階的に変えたときに、ＬＥＤの合成光の色温度及び明るさが前記設定部により設定されている色温度及び明るさとなるのに必要な他の３種の各ＬＥＤへの供給電流値を算出すると共に、そのとき出力されるであろうＬＥＤの合成光の演色評価数を前記分光データに基づいて算出して、各ＬＥＤへの供給電流値と該演色評価数とが対応付けされた演色評価数テーブルを作成し、
その演色評価数テーブルを参照して、前記設定部により設定されている演色評価数と略一致する演色評価数を選択し、その演色評価数に対応する各ＬＥＤへの供給電流値でもって各ＬＥＤを制御することを特徴とするＬＥＤ照明装置。
【請求項２】
前記制御部は、前記演色評価数テーブルを予め記憶していることを特徴とする請求項１に記載のＬＥＤ照明装置。
【請求項３】
前記制御部は、前記設定部により設定されている演色評価数と略一致する演色評価数の代わりに、その値が最高値となる演色評価数を選択することを特徴とする請求項１又は請求項２に記載のＬＥＤ照明装置。
【発明の詳細な説明】
【技術分野】
【０００１】
本発明は、ＬＥＤを光源として照明光を照射するＬＥＤ照明装置に関する。
【背景技術】
【０００２】
従来から、赤色、緑色及び青色ＬＥＤとこれらの合成光を受光するフォトダイオードとを備え、フォトダイオードを用いて上記合成光の三刺激値を測定し、その測定結果に基づき、所望の色温度の合成光を照明光として照射するため各ＬＥＤへの供給電流値を独立して制御するＬＥＤ照明装置が知られている（例えば、特許文献１参照）。
【０００３】
ところで、３色の光を合成して得られる光は、その発光スペクトルにおける光強度の対波長変化の度合いが大きいので、人工光と認識され易く、演色評価数が低い。従って、上記の特許文献１の技術では、所望の色温度でもって照明光を照射可能ではあるが、その照明光は、３色の光の合成光であるので、演色評価数が低い。
【特許文献１】特表２００４−５２５５１６号公報
【発明の開示】
【発明が解決しようとする課題】
【０００４】
本発明は、上記の従来の問題を解決するためになされたものであり、所望の色温度の照明光を、高い演色評価数でもって照射可能なＬＥＤ照明装置を提供することを目的とする。
【課題を解決するための手段】
【０００５】
上記目的を達成するために本発明は、複数のＬＥＤと、前記各ＬＥＤへの供給電流を制御する制御部と、を備えたＬＥＤ照明装置において、前記ＬＥＤの合成光の色温度、明るさ、及び演色評価数を設定するための設定部を備え、前記複数のＬＥＤは、発光スペクトルのピーク波長が互いに異なる４種のＬＥＤから成り、前記制御部は、前記４種の各ＬＥＤの分光データを記憶しており、前記４種のＬＥＤのうち、１種のＬＥＤへの供給電流値を所定の下限値から上限値まで段階的に変えたときに、ＬＥＤの合成光の色温度及び明るさが前記設定部により設定されている色温度及び明るさとなるのに必要な他の３種の各ＬＥＤへの供給電流値を算出すると共に、そのとき出力されるであろうＬＥＤの合成光の演色評価数を前記分光データに基づいて算出して、各ＬＥＤへの供給電流値と該演色評価数とが対応付けされた演色評価数テーブルを作成し、その演色評価数テーブルを参照して、前記設定部により設定されている演色評価数と略一致する演色評価数を選択し、その演色評価数に対応する各ＬＥＤへの供給電流値でもって各ＬＥＤを制御するものであることを特徴とする。
【０００６】
本発明において、前記制御部は、前記演色評価数テーブルを予め記憶しているものであることが好ましい。
【０００７】
本発明において、前記制御部は、前記設定部により設定されている演色評価数と略一致する演色評価数の代わりに、その値が最高値となる演色評価数を選択するものことが好ましい。
【発明の効果】
【０００８】
本発明によれば、ＬＥＤの合成光の色温度が設定部により設定された色温度となるように、４種のＬＥＤによる発光制御が行われるので、所望の色温度の合成光を照明光として照射でき、さらに、従来の３色の光の合成光と比べ、合成光の発光スペクトルにおける光強度の対波長変化の度合いが小さくなるので、合成光を高い演色評価数でもって照射することができる。
【発明を実施するための最良の形態】
【００１１】
以下、本発明の第１の実施形態に係るＬＥＤ照明装置について図１乃至図７を参照して説明する。図１は、第１の実施形態に係るＬＥＤ照明装置の構成を示す。このＬＥＤ照明装置１は、複数のＬＥＤ２と、各ＬＥＤ２への供給電流を制御する制御部３と、ユーザの操作に基づいてＬＥＤ２の合成光の色温度、明るさ及び演色評価数を設定するための設定部４と、を備える。
【００１２】
複数のＬＥＤ２は、発光スペクトルのピーク波長が互いに異なる４種のＬＥＤ２、すなわち、赤色ＬＥＤ２１、緑色ＬＥＤ２２、青色ＬＥＤ２３及び黄色ＬＥＤ２４（以下、赤色ＬＥＤ２１等という）から成る。赤色ＬＥＤ２１等の各々の数は、単数であっても、複数であっても構わない。複数のＬＥＤ２には、赤色ＬＥＤ２１、緑色ＬＥＤ２２及び青色ＬＥＤ２３が含まれるので、全ての色の可視光を照明光として照射することが可能である。
【００１３】
制御部３は、各種データを記憶する記憶部３１と、記憶部３１を参照して各種演算を行う演算部３２とを有する。記憶部３１は、ＲＯＭ、ＲＡＭ又はフラッシュメモリ等の記憶媒体により構成される。この記憶媒体は、図２に示されるように、波長λを変数とする赤色ＬＥＤ２１等の各々の分光データＲ（λ）、Ｇ（λ）、Ｂ（λ）、Ｙ（λ）から成る分光データ３１ａと、図３に示されるように、赤色ＬＥＤ２１等の各々の三刺激値（Ｘｒ，Ｙｒ，Ｚｒ）、（Ｘｇ，Ｙｇ，Ｚｇ）、（Ｘｂ，Ｙｂ，Ｚｂ）、（Ｘｙ，Ｙｙ，Ｚｙ）が格納された三刺激値テーブル３１ｂと、図４に示されるように、色温度と色度座標値との対応関係を示す色度座標テーブル３１ｃと、を出荷前に予め記憶している。分光データＲ（λ）、Ｇ（λ）、Ｂ（λ）、Ｙ（λ）は、波長３８０ｎｍから７８０ｎｍまでの範囲における５ｎｍ間隔ごとの光強度の相対値を示しており、例えばＪＩＳ Ｚ ８７２４で規格化された方法で求められる。色度座標テーブル３１ｃは、色温度と色度座標値（ｘ，ｙ，ｚ）の対応関係を示している。
【００１４】
分光データ３１ａ及び三刺激値テーブル３１ｂの三刺激値は、出荷前に予め測定され、記憶部３１に格納されている。それらの測定は次のようになされる。まず、分光器が検査員等により演算部３２に電気的に接続される。そして、演算部３２は、分光器との接続の検出又は検査員等による設定部４の操作をトリガとして、赤色ＬＥＤ２１等に不図示の電源から順次、最大電流を供給させ、赤色ＬＥＤ２１等を順次点灯させる。分光器は、赤色ＬＥＤ２１等の各々の点灯の都度、発光スペクトル及び光の三刺激値を測定し、その測定データを演算部３２に送出する。演算部３２は、分光器による測定データを基に分光データ３１ａ及び三刺激値テーブル３１ｂを作成して記憶部３１に格納する。このようにして、分光データ３１ａ及び三刺激値テーブル３１ｂは記憶部３１に予め格納される。
【００１５】
演算部３２は、ＣＰＵを含むマイクロプロセッサ等により構成される。このマイクロプロセッサ等は、設定部４により設定された色温度に対応する色度座標値を色度座標テーブル３１ｃを参照して求め、その求めた色度座標値に、設定部４により設定された明るさを乗じて照明光の目標三刺激値を算出する。
【００１６】
そして、演算部３２のマイクロプロセッサ等は、４種のＬＥＤ２のうち、１種のＬＥＤ２への供給電流値を所定の下限値から上限値まで段階的に変えたときに、ＬＥＤ２の合成光の色温度及び明るさが設定部４により設定されている色温度及び明るさとなるのに必要な他の３種の各ＬＥＤ２への供給電流値、すなわちＬＥＤ２の合成光の三刺激値が目標三刺激値となるのに必要な他の３種の各ＬＥＤ２への供給電流値を、三刺激値テーブル３１ｂに格納されている赤色ＬＥＤ２１等の各々の三刺激値に応じて算出する。マイクロプロセッサ等は、そのとき出力されるであろうＬＥＤ２の合成光の演色評価数を分光データ３１ａに基づいて算出し、図５に示されるように各ＬＥＤ２への供給電流値と該演色評価数Ｒａとが対応付けされた演色評価数テーブル３１ｄを作成し、それを記憶部３１に格納する。
【００１７】
演色評価数テーブル３１ｄは、出荷前に設定部４により設定される色温度及び明るさ毎に作成され、出荷前に予め記憶される。演色評価数テーブル３１ｄの詳細と及びその作成フローの詳細については後述する。
【００１８】
また、演算部３２は、演色評価数テーブル３１ｄ作成後、例えばユーザ使用時に、ユーザが設定部４を用いて設定した色温度の演色評価数テーブル３１ｄを参照し、ユーザが設定部４を用いて設定した演色評価数と略一致する演色評価数を選択し、その選択した演色評価数に対応する各ＬＥＤ２への供給電流値でもって各ＬＥＤ２を制御する。
【００１９】
設定部４は、操作ボタン又は操作パネル等（以下、操作ボタン等という）、若しくは操作ボタン等及びマイクロプロセッサにより構成される。操作ボタン等は、色温度、明るさ及び演色評価数を示す設定信号を、出荷前であれば検査員等による操作に基づいて、出荷後であればユーザによる操作に基づいて演算部３２に送出する。ユーザによる色温度、明るさ及び演色評価数の設定は、数値入力、又は複数の数値のうちのいずれかの選択に基づいて行われる。設定部４が操作ボタン等及びマイクロプロセッサにより構成される場合、そのマイクロプロセッサは、演色評価数テーブル３１ｄ作成時には、検査員等による所定の操作ボタン等の操作をトリガとして、色温度及び明るさを自動的に設定した設定信号を制御部３に送出する。演色評価数テーブル３１ｄ作成時には、設定部４は、明るさを一定の値に設定し、色温度を複数値設定する。設定部４により設定される明るさの単位はルクスである。
【００２０】
図６は、演算部３２による演色評価数テーブル３１ｄの作成フローの一例を示す。まず、演算部３２は、出荷前に、設定部４からの設定信号に基づき、設定された色温度及び明るさを認識する（Ｓ１０１）。演色評価数テーブル３１ｄ作成のための、設定部４による色温度及び明るさの設定は、出荷前に行われる。明るさは一定の値に設定され、色温度は複数の値が設定される。Ｓ１０１以後の処理は、設定される色温度毎に実行され、演色評価数テーブル３１ｄは、設定される色温度に対応して作成される。
【００２１】
そして、演算部３２は、設定された色温度に対応する色度座標値を色度座標テーブル３１ｃを参照して取得し（Ｓ１０２）、取得した色度座標値に、設定された明るさを乗じることで目標三刺激値を算出する（Ｓ１０３）。例えば、色温度の設定値が３０００［Ｋ］であり、明るさの設定値が１０００［ｌｘ］である場合、色度座標テーブル３１ｃに示されるように色温度に対応する色度座標値は（ｘ，ｙ，ｚ）=（０．４３６，０．４０２，０．１６２）となるので、目標三刺激値は、この色度座標値に明るさを乗じて得られる値（４３６０，４０２０，１６２０）となる。さらに、演算部３２は、赤色ＬＥＤ２１等の各々の三刺激値（Ｘｒ，Ｙｒ，Ｚｒ）、（Ｘｇ，Ｙｇ，Ｚｇ）、（Ｘｂ，Ｙｂ，Ｚｂ）、（Ｘｙ，Ｙｙ，Ｚｙ）を三刺激値テーブル３１ｂを参照して取得する（Ｓ１０４）。これらの三刺激値は、上述のように、赤色ＬＥＤ２１等に最大電流が供給されたときの値である。
【００２２】
次に、演算部３２は、黄色ＬＥＤ２４への供給電流値を０から最大値まで複数の段階に、例えば１００段階に分ける。ここで、段階の数をｎとする。まずはｎ＝０とされる（Ｓ１０５）。そして、ｎ＞１００でなければ（Ｓ１０６でＮｏ）、黄色ＬＥＤ２４への供給電流値が、最大値にｎを乗じて１００で除した値に仮定される（Ｓ１０７）。ｎ＞１００である場合には処理は終了する（Ｓ１０６でＹｅｓ）。そして、演算部３２は、ＬＥＤ２の合成光の三刺激値すなわち照明光の三刺激値が、Ｓ３で求めた目標三刺激値となるのに必要な赤色ＬＥＤ２１、緑色ＬＥＤ２２及び青色ＬＥＤ２３への供給電流値を三刺激値テーブル３１ｂを参照して算出する（Ｓ１０８）。
【００２３】
ここで、上記供給電流値の算出方法について具体的に説明する。黄色ＬＥＤ２４への供給電流値がＳ１０７のように仮定されたとき、黄色ＬＥＤ２４の三刺激値は（Ｘｙ,Ｙｙ,Ｚｙ）×ｎ／１００になる。従って、照明光の目標三刺激値を（Ｘ０,Ｙ０,Ｚ０）とし、赤色ＬＥＤ２１、緑色ＬＥＤ２２及び青色ＬＥＤ２３の合成光の三刺激値を（Ｘ３，Ｙ３，Ｚ３）とすれば、三刺激値（Ｘ３，Ｙ３，Ｚ３）は下記の数１に示す数式により求められる。
【数１】
0005016428.tif 000002
【００２４】
赤色ＬＥＤ２１、緑色ＬＥＤ２２及び青色ＬＥＤ２３への供給電流値の最大値に対する割合をｒ、ｇ、ｂとすると、上記の数１で求めた三刺激値（Ｘ３，Ｙ３，Ｚ３）を基にして、下記の数２に示す三元一次連立方程式が成り立つ。
【数２】
0005016428.tif 000003
上記数２の方程式を解き、ｒ、ｇ、ｂを求めると、照明光の三刺激値が目標三刺激値となるのに必要な赤色ＬＥＤ２１等への供給電流値、すなわち、照明光の色温度及び明るさが設定部４により設定された色温度及び明るさとなるのに必要な赤色ＬＥＤ２１等への供給電流値は、
赤色ＬＥＤ２１への供給電流値＝最大値×ｒ
緑色ＬＥＤ２２への供給電流値＝最大値×ｇ
青色ＬＥＤ２３への供給電流値＝最大値×ｂ
黄色ＬＥＤ２４への供給電流値＝最大値×ｎ／１００
となる。
【００２５】
赤色ＬＥＤ２１等の各々への供給電流値が算出された後、赤色ＬＥＤ２１等の合成光における波長３８０ｎｍから７８０ｎｍまでの分光スペクトルＳ（λ）が、赤色ＬＥＤ２１等の分光データ３１ａ（Ｒ（λ）、Ｇ（λ）、Ｂ（λ）、Ｙ（λ））と、上述のｒ、ｇ、ｂ、ｎ／１００とから下記の数３の数式を用いて求められる。
【数３】
0005016428.tif 000004
【００２６】
ところで、光源の演色性を評価するために用いられる演色評価数は、ＪＩＳ Ｚ ８７２６で規格化された計算方法で求めることができる。この計算方法では、演色評価数が光源の分光データ等に基づいて算出される。そこで、演算部３２は、上記の数３で求めた分光スペクトルＳ（λ）を基に、ＪＩＳ Ｚ ８７２６の計算方式を用いて、出力されるであろうＬＥＤ２の合成光の演色評価数Ｒａを算出する（Ｓ１０９）。演色評価数Ｒａ算出後、演算部３２は、各ＬＥＤ２への供給電流値、具体的にはその最大値に対する割合ｒ、ｇ、ｂ、ｎ／１００と演色評価数Ｒａとを関連付けて記憶部３１に格納する（Ｓ１１０）。そして、段数ｎはインクリメントされ（Ｓ１１１）、Ｓ６の処理が再度実行される。
【００２７】
段数ｎが１００となるまでＳ１０７〜Ｓ１１１の処理が繰り返されることで、照明光の三刺激値が目標三刺激値となるのに必要な各ＬＥＤへの供給電流値の１０１個のパターンと、そのパターン毎に算出される合成光の演色評価数Ｒａとが関連付けられた、上述の図５に示される演色評価数テーブル３１ｄが作成される。
【００２８】
図７は、演算部３２による演色評価数テーブル３１ｄを参照したＬＥＤ制御フローを示す。このＬＥＤ制御は、基本的にユーザ使用時に行われる。演算部３２は、ユーザにより設定部４を用いて設定された色温度に対応する演色評価数テーブル３１ｄを記憶部３１を参照して選択する（Ｓ２０１）。そして、選択された演色評価数テーブル３１ｄに格納された演色評価数の中で、略一致する演色評価数が選択される（Ｓ２０２）。一致する演色評価数が演色評価数テーブル３１ｄ内に無い場合、設定された演色評価数との間で差分が最も少ない演色評価数が選択される。
【００２９】
次に、演算部３２は、演色評価数テーブル３１ｄを参照し、上記選択した演色評価数に対応する各ＬＥＤ２への供給電流値の最大値に対する割合ｒ、ｇ、ｂ、ｎ／１００を取得する（Ｓ２０３）。また、演算部３２は、演色評価数テーブル３１ｄ後にユーザにより設定部４を用いて設定された明るさを、演色評価数テーブル３１ｄ作成時に設定された明るさで除算して明るさ比Ｌｒを求める（Ｓ２０４）。そして、演算部３２は、明るさ比Ｌｒを、Ｓ２０３で取得した割合に乗算し（Ｓ２０５）、その乗算して得た値を、各ＬＥＤ２への供給電流の最大値に乗算する（Ｓ２０６）。この乗算して得られた供給電流値でもって各ＬＥＤ２が制御される（Ｓ２０７）。
【００３０】
上記処理の結果、照明光の色温度及び明るさを、演色評価数テーブル作成後に設定部４により設定された色温度及び明るさとするために、赤色ＬＥＤ２１等への供給電流値が、
赤色ＬＥＤ２１への供給電流値＝最大値×ｒ×Ｌｒ
緑色ＬＥＤ２２への供給電流値＝最大値×ｇ×Ｌｒ
青色ＬＥＤ２３への供給電流値＝最大値×ｂ×Ｌｒ
黄色ＬＥＤ２４への供給電流値＝最大値×ｎ／１００×Ｌｒ
とされる。
【００３１】
本実施形態においては、ＬＥＤの合成光の色温度及び明るさが設定部４により設定された色温度及び明るさとなるように、４種のＬＥＤ２による発光制御が行われるので、所望の色温度の合成光を照明光として照射できる。さらに、従来の３色の光の合成光と比べ、合成光の発光スペクトルにおける光強度の対波長変化の度合いが小さくなる。このため、合成光を高い演色評価数でもって照射することができる。
【００３２】
また、赤色ＬＥＤ２１等の合成光の色温度及び明るさを設定部４により設定される色温度及び明るさとするのに必要な赤色ＬＥＤ２１等の各々への供給電流値は、複数パターン求められ、そのパターン毎に合成光の演色評価数Ｒａが算出され、演色評価数テーブル３１ｄが作成される。そして、演色評価数テーブル３１ｄの中で、設定部４により設定された演色評価数Ｒａと略一致する演色評価数Ｒａが選択され、その演色評価数Ｒａに対応する赤色ＬＥＤ２１等の各々への供給電流値でもって赤色ＬＥＤ２１等が制御される。このため、設定部４を用いて照明光の演色評価数を所望の値に設定することで、所望の演色評価数の照明光を照射することができる。
【００３３】
また、記憶部３１には演色評価数テーブル３１ｄが出荷前に予め記憶されているので、ユーザ使用時に、ＬＥＤ制御処理毎に演色評価数テーブル３１ｄを作成する必要がないので、処理に掛かる時間を短くすることができる。
【００３４】
次に、本発明の第２の実施形態に係るＬＥＤ照明装置について図８を参照して説明する。本実施形態のＬＥＤ照明装置の構成に関しては、図１及び図５を流用して説明する。本実施形態のＬＥＤ照明装置１の演算部３２は、第１の実施形態のように、演色評価数テーブル３１ｄ中の演色評価数のうち、設定部４により設定されている演色評価数と略一致する演色評価数を選択する代わりに、その値が最高値となる演色評価数を選択する。そして、演算部３２は、その選択した演色評価数に対応する４種の各ＬＥＤ２への供給電流値でもって各ＬＥＤ２を制御する。本実施形態の設定部４は、色温度及び明るさを設定するための手段である。
【００３５】
図８は、演算部３２による演色評価数の最大値選択処理のフローの一例を示す。まずここで、処理の説明で用いる定数と変数について説明する。ｎは、第１の実施形態の説明で上述した通り、演色評価数テーブル３１ｄ作成時に黄色ＬＥＤ２４への供給電流値を０から最大値まで複数の段階に分けた場合の段階数を示し、その数は例えば１００である。そして、ｉ及びＷは変数であり、Ｒａｉは、演色評価数テーブル３１ｄにおいて、上記の段階がｉ段目のときの演色評価数Ｒａを示す。以下、最大値選択処理のフローを説明する。
【００３６】
まず、ｉ＝０とされ（Ｓ３０１）、さらにＷ＝０とされる（Ｓ３０２）。そして、ｉ＞ｎであり（Ｓ３０３でＮｏ）、且つ、Ｗ＜Ｒａｉである場合（Ｓ３０４でＹｅｓ）、Ｗ＝Ｒａｉとされ（Ｓ３０５）、ｉがインクリメントされる（Ｓ３０６）。ｉ＞ｎでない場合（Ｓ３０３でＹｅｓ）、処理は終了し、Ｗ＜Ｒａｉでない場合（Ｓ３０４でＮｏ）、Ｓ３０５を飛ばしてＳ３０６の処理が行われる。ｉがインクリメントされた後、Ｓ３０３の処理が再度実行される。上記の処理により、処理終了後にはＷに演色評価数の最高値が格納されている。
【００３７】
本実施形態においては、演算部３２が、演色評価数テーブル３１ｄの中で最高値の演色評価数を選択し、その演色評価数に対応する赤色ＬＥＤ２１等の各々への供給電流値でもってそれらを制御するので、赤色ＬＥＤ２１等の合成光を常に自然光に最も近い光とすることができる。なお、本実施形態においても、第１の実施形態と同じ効果を奏することができる。
【００３８】
次に、本発明の第２の実施形態の変形例に係るＬＥＤ照明装置について図９を参照して説明する。本変形例のＬＥＤ照明装置の構成に関しては、図１を流用して説明する。図９は、本変形例のＬＥＤ照明装置１における演色評価数テーブル３１ｄを示す。本変形例の演色評価数テーブル３１ｄは、色温度と、演色評価数Ｒａが最高値となるときの黄色ＬＥＤ２４の供給電流値とが対応付けされてテーブル化されて成る。テーブル化される色温度は、演色評価数テーブル３１ｄ作成時に、設定部４により設定された値である。テーブル化される供給電流値は、設定部４により設定された色温度と、設定部４により色温度に拘わらず一定の値に設定された明るさとに基づいて算出された値である。また、上記の供給電流値は、具体的にはその最大値に対する割合で表され、その割合が演色評価数テーブル３１ｄに格納されている。
【００３９】
演算部３２は、演色評価数テーブル３１ｄ作成後に、ユーザが設定部４を用いて色温度及び明るさを設定したとき、まずは、設定された色温度に対応する、黄色ＬＥＤ２４への供給値の最大値に対する割合を、演色評価数テーブル３１ｄを参照して取得する。この取得した割合をｙとすると、黄色ＬＥＤ２４の三刺激値は、最大電流を黄色ＬＥＤ２４に流したときの三刺激値である（Ｘｙ,Ｙｙ,Ｚｙ）にｙを乗じた値になると推定される。従って、照明光の目標三刺激値を（Ｘ０,Ｙ０,Ｚ０）とし、赤色ＬＥＤ２１、緑色ＬＥＤ２２及び青色ＬＥＤ２３の合成光の三刺激値を（Ｘ３，Ｙ３，Ｚ３）とすれば、三刺激値（Ｘ３，Ｙ３，Ｚ３）は下記の数４に示す数式により求められる。
【数４】
0005016428.tif 000005
【００４０】
赤色ＬＥＤ２１、緑色ＬＥＤ２２及び青色ＬＥＤ２３への供給電流値の最大値に対する割合をｒ、ｇ、ｂとすると、上記の数４で求めた三刺激値（Ｘ３，Ｙ３，Ｚ３）を基にして、上記の数２に示す三元一次連立方程式が成り立つ。演算部３２は、そのときの数２の方程式を解き、ｒ、ｇ、ｂを求める。そして、演算部３２は、演色評価数テーブル３１ｄ後にユーザにより設定部４を用いて設定された明るさを、演色評価数テーブル３１ｄ作成時に設定された一定の明るさで除算して明るさ比Ｌｒを求める。演算部３２は、除算して得た明るさ比Ｌｒを、取得した割合ｒ、ｇ、ｂとｙとに乗算し、その乗算して得た値を、各ＬＥＤ２への供給電流の最大値に乗算する。この乗算して得られた供給電流値でもって各ＬＥＤ２が制御される。
【００４１】
本変形例においては、ＬＥＤ制御処理毎に、上記第２の実施形態のように演色評価数テーブル３１ｄ中で演色評価数の最高値を探して選択する必要がないので、処理に掛かる時間を短縮することができる。なお、本変形例においても、第２の実施形態と同じ効果を奏することができる。
【００４２】
なお、本発明は、上記の実施形態の構成に限定されるものでなく、使用目的に応じ、様々な変形が可能である。
【図面の簡単な説明】
【００４３】
【図１】本発明の第１の実施形態に係るＬＥＤ照明装置の構成図。
【図２】上記装置の記憶部に記憶される分光データを示す図。
【図３】上記記憶部に記憶される三刺激値テーブルを示す図。
【図４】上記記憶部に格納されている色度座標テーブルを示す図。
【図５】上記記憶部に格納される演色評価数テーブルを示す図。
【図６】上記装置の演算部による演色評価数テーブル作成処理のフロー図。
【図７】上記装置の演算部によるＬＥＤ制御処理のフロー図。
【図８】本発明の第２の実施形態に係るＬＥＤ照明装置の演算部による演色評価数最大値選択処理のフロー図。
【図９】上記第２の実施形態の変形例に係るＬＥＤ照明装置の記憶部に記憶される演色評価数テーブルを示す図。
【符号の説明】
【００４４】
１  ＬＥＤ照明装置
２  ＬＥＤ
２１  赤色ＬＥＤ
２２  緑色ＬＥＤ
２３  青色ＬＥＤ
２４  黄色ＬＥＤ
３  制御部
３１  記憶部
３１ａ  分光データ
３１ｂ  三刺激値テーブル
３１ｃ  色度座標テーブル
３１ｄ  演色評価数テーブル
３２  演算部
【図１】
0005016428.tif 000006
【図２】
0005016428.tif 000007
【図３】
0005016428.tif 000008
【図４】
0005016428.tif 000009
【図５】
0005016428.tif 000010
【図６】
0005016428.tif 000011
【図７】
0005016428.tif 000012
【図８】
0005016428.tif 000013
【図９】
0005016428.tif 000014